(57)【要約】      （修正有）【課題】作業姿勢の改善と多用途化を可能とする鎌の提供。【解決手段】長方形の刃の１辺にカギ溝を付け、３辺に刃先を付け、その１辺の刃先を細刃にした刃に角度調節歯車を取り付けるために３箇所づつ設けた穴に角度調節歯車固定ボルト３本で固定して、角度調節歯車付きＬ型と刃に取り付けた角度調節歯車を、設けた角度調節歯車付きＬ型取り付けボルト穴に角度調節Ｌ歯車取り付けボルトを取り付け、蝶ナットで固定して、握り柄に取り付けた角度調節握り柄取り付け部と角度調節歯車付きＬ型を設けた角度調節歯車付きＬ型取り付けボルト穴に角度調節歯車付きＬ型取り付けボルトと蝶ナットで固定する草刈り鎌である。【選択図】図１
2011078396.tif 000002
【特許請求の範囲】
【請求項１】
（イ）長方形の刃（１）の１辺にカギ溝（１ｅ）を付け、他の３辺に刃先（１ａ、１ｂ、１ｃ）を付け、その１辺の刃先（１ｃ）を細刃にした刃（１）に角度調節歯車（２、３）を取り付けるために３箇所づつ設けた穴（１ｄ、２ａ、３ａ）に角度調節歯車固定ボルト（１０）３本で固定して、角度調節歯車付きＬ型（４）と刃（１）に取り付けた角度調節歯車（２、３）を、設けた角度調節歯車付きＬ型取り付けボルト穴（２ｂ、１ｆ、３ｂ、４ａ）に角度調節Ｌ歯車取り付けボルト（７）を取り付け、蝶ナット（８）で固定して、握り柄（１１）に取り付けた角度調節握り柄取り付け部（５）と角度調節歯車付きＬ型（４）を設けた角度調節歯車付きＬ型取り付けボルト穴（４ｂ、５ａ．５ｂ。１１ａ）に角度調節歯車付きＬ型取り付けボルト（６）と蝶ナット（９）で固定するものである。
（ロ）また、角度を変えることで横の刃先（１ａ）を使用することにより鍬としての役割を果たせるようにした。
（ハ）また、細刃の刃先（１ｃ）を使用することにより草の根を深く掘り起こすことができるようにした。
（ニ）また、刃先（１ｂ）を使用することにより土をならしたり土の塊を砕いたりすることができるようにした。
（ホ）また、刃（１）と握り柄（１１）は２本のネジ（６、７）と２個の蝶ナット（８、９）で固定するので道具を使用せず長い柄と短い柄の取替えを容易にして短い柄を付けて収穫時の包丁としても使用できるようにした。
（ヘ）また、カギ溝（１ｅ）を使用することで隙間に生えた雑草を楽に刈ることが出来るようにした。
（ト）また、刃（１）の刃先（１ｂ）を使用することにより刈り取った雑草のみを集めることが出来るレーキのようなこともできるようにした。
（チ）また、長方形の刃なので研ぐ作業を簡単に出来るようにした。
以上のように構成された草刈り鎌。
【発明の詳細な説明】
【技術分野】
【０００１】  この発明は農地、庭、土手、公園等に繁茂する草を刈り取る際に用いられる草刈り鎌と穴掘り用のスコップと土を耕す鍬と収穫用の包丁に関するものである
【背景技術】
【０００２】  従来、この種の草刈り鎌は刃と握り柄が一定の角度で固定され、握り柄は長短どちらかが固定されて刃が半月形のものが知られている。
又、穴掘り用の鍬、収穫用の包丁もそれぞれが単独の形であった。
【先行技術文献】
【０００３】
【特許文献１】  特願１９９９−３４３５０号公報
【特許文献２】  特願２００２−２１５８７７号公報
【発明の概要】
【発明が解決しようとする課題】
【０００４】  しかしながら、草刈り用の鎌は刃と握り柄が作業者の身長に関係なく一定の角度で固定されていたり、握り柄は長短どちらかが固定されているために無理な体勢での作業を強いられて腰痛原因のひとつになっていた。
また、刃と握り柄が固定されているため出来る作業も草刈のみに限定されていて、穴掘りにはスコップ、土を耕すのは鍬、収穫には包丁と役割が限定されていた。
また、刈り取る草の種類、形状により背丈の長いもの、茎の硬いもの、茎が短く地面いっぱいに広がるもの等、用途に合わせ鎌その物を換えて作業する必要があった。
出来る作業も草刈のみに限定されていて、穴掘りには鍬、収穫には包丁と役割が限定されていた。
また、曲線になった刃先を研ぐのも大変な作業だった。
本発明はこれらの問題点を解決するためになされたものである。
【課題を解決するための手段】
【０００５】  本発明は、以下の構成よりなる。
長方形の刃の１辺にカギ溝を付け、３辺に刃先を付け、その１辺の刃先を細刃にした刃に角度調節歯車を取り付けるために３箇所づつ設けた穴に角度調節歯車固定ボルト３本で固定して、角度調節歯車付きＬ型と刃に取り付けた角度調節歯車を、設けた角度調節歯車付きＬ型取り付けボルト穴に角度調節Ｌ歯車取り付けボルトを取り付け、蝶ナットで固定して、握り柄に取り付けた角度調節握り柄取り付け部と角度調節歯車付きＬ型を設けた角度調節歯車付きＬ型取り付けボルト穴に角度調節歯車付きＬ型取り付けボルトと蝶ナットで固定する草刈り鎌である。
【発明の効果】
【０００６】  本発明は刃（１）と握り柄（１１）に角度調節歯車（２、３）を取り付け、角度調節歯車付きＬ型（４）で刃（１）と握り柄（１１）を接続し角度調節Ｌ型取り付けボルト（６、７）と蝶ネジ（８、９）で締めることにより、前後左右３６０度自由に動かす事が出来る様にした。
それにより以下のことが可能になった。
（イ）作業者の身長にあわせた無理のない楽な姿勢での作業可能な刃（１）と握り柄（１１）の角度設定が出来るようになった。
（ロ）また、長方形の刃（１）を取り付けることにより刃先（１ａ、１ｂ、１ｃ）と、３箇所刃をつけることが出来、長方形の長い部分刃先（１ｂ）の刃を使用することにより刈り取り幅が長くなり、作業能率が格段に上昇した（図３）。
（ハ）刃（１）を縦にすることで刃先（１ａ）を使い縦穴を」掘ることが出来る（図４）。
（ニ）刃（１）の細い部分刃先（１ｃ）を使用することにより雑草の根を深く掘り起こすことが出来るようになった（図５）。
（ホ）刃（１）と握り柄（１１）の角度を変えることで刃先（１ａ）を使用することにより鍬としての役割を果たせるようになった（図６）。
（ヘ）刃先（１ｂ）を使用することにより土をならしたり土の塊を砕いたりすることが容易になった（図７）。
（ト）刃先（１ｂ）を使用することにより刈り取った雑草のみを集めることが出来るレーキのようなこともできるようになった（図８）。
（チ）刃（１）と握り柄（１１）は２本の角度調節Ｌ型取り付けボルト（６，７）と２個の蝶ナット（８、９）で固定されているので道具を使用しないで長い柄と短い柄の取替えが容易に出来て短い柄を付け収穫時の包丁としても使用できるようになった（図９）。
（リ）カギ溝（１ｅ）を使用することで隙間に生えた雑草を楽に刈ることが出来る（図１０）。
（ヌ）直線の刃なので研ぎが簡単に出来るようになった。
【図面の簡単な説明】
【０００７】
【図１】  本発明の斜視図である。
【図２】  本発明の使用状態を示した斜視図である。
【図３】  本発明の斜視図である。
【図４】  本発明の竪穴堀時の形態の斜視図である
【図５】  本発明の刈り取る草の根を深く掘り起こすときの形態の斜視図である。
【図６】  本発明の鍬の形態の斜視図である。
【図７】  本発明の土ならし時の形態の斜視図である。
【図８】  本発明の刈り取った草を集めるときの形態の斜視図である。
【図９】  本発明の包丁時の形態の斜視図である。
【図１０】  本発明のカギ溝使用時の形態の斜視図である。
【図１１】  本発明のクイックレバー使用時の斜視図である
【発明を実施するための形態】
【０００８】  以下、本発明を実施するための形態について説明する。
本発明は、長方形の刃（１）の１辺にカギ溝（１ｅ）を付け、他の３辺に刃先（１ａ、１ｂ、１ｃ）を付け、刃先（１ｃ）を細刃にした刃（１）に角度調節歯車（２、３）を取り付けるために３箇所づつ設けた穴（１ｄ、２ａ、３ａ）に角度調節歯車固定ボルト（１０）３本で固定して、角度調節歯車付きＬ型（４）と刃（１）に取り付けた角度調節歯車（２、３）を、設けた角度調節歯車付きＬ型取り付けボルト穴（２ｂ、１ｆ、３ｂ、４ａ）に角度調節Ｌ歯車取り付けボルト（７）取り付ける。
蝶ナット（８）で固定して、握り柄（１１）に取り付けた角度調節握り柄取り付け部（５）と角度調節歯車付きＬ型（４）を角度調節歯車付きＬ型取り付けボルト穴（４ｂ、５ａ．５ｂ、１１ａ）に角度調節歯車付きＬ型取り付けボルト（６）と蝶ナット（９）で固定する。
また、刃（１）表側に角度調節歯車（３）を取り付ける。
裏側にも角度調節歯車（２）を取り付け刃（１）の裏、表同様の形にして握り柄を付け替え可能にして右利き、左利きどちらの人にも対応できるようにする（図１）。
また、握り柄と刃（２２）の角度調節作業を簡単にするため取り付けた１２個の突起部（１５ａ、１５ｂ）を設けた１２個の突起部付き角度調節Ｌ型（１５）に、クイックレバー（１２）を取り付けるための１２穴あきプレート（１６，１８）を刃（２２）に取り付けるため３箇所づつ設けた１２穴あきプレート取り付け穴（１６ｂ、１７ａ，１８ｂ）とに１２穴あきプレート取り付けボルト（１９）で取り付けて、１２個の突起部付き角度調節Ｌ型（１５）の１２個の突起部（１５ｂ）が１２穴あきプレート（１６、１８）に、設けた１２穴あきプレート突起部受け穴（１６ｃ、１８ｃ）と刃（２２）に設けた１２穴あき突起部受け穴（１７ｂ）との角度調節が簡単になるように角度調節Ｌ型取り付けボルト穴（１５ｃ、１６ａ，１７，１８ａ）にクイックレバー（１２）をクイックレバー固定ナット（２０）で固定する。
また、握り柄を取り付けるための１２穴あき角度調節握り柄取り付け部（１４）と１２個の突起部付き角度調節Ｌ型（１５）取り付けるため、設けた角度調節Ｌ型取り付けボルト穴（１４ａ，１４ｃ、１５ｄ）にクイックレバー（１２）をクイックレバー固定ナット（２１）で固定するものである（図１１）。本発明は以上の構成である。
【符号の説明】
【０００９】１      刃
１ａ    刃先
１ｂ    刃先
１ｃ    刃先
１ｄ    角度調節歯車取り付けボルト穴
１ｅ    カギ溝
１ｆ    角度調節歯車付きＬ型取り付けボルト穴
２      角度調節歯車
２ａ    角度調節歯車取り付けボルト穴
２ｂ    角度調節歯車付きＬ型取り付けボルト穴
３      角度調節歯車
３ａ    角度調節歯車取り付けボルト穴
３ｂ    角度調節歯車付きＬ型取り付けボルト穴
４      角度調節歯車付きＬ型
４ａ    角度調節歯車付きＬ型取り付けボルト穴
４ｂ    角度調節歯車付きＬ型取り付けボルト穴
５      角度調節握り柄取り付け部
５ａ    角度調節歯車付きＬ型取り付けボルト穴
５ｂ    角度調節歯車付きＬ型取り付けボルト穴
６      角度調節歯車付きＬ型取り付けボルト
７      角度調節歯車付きＬ型取り付けボルト
８      蝶ナット
９      蝶ナット
１０    角度調節歯車取り付けボルト
１１    握り柄
１１ａ  角度調節歯車付きＬ型取り付けボルト穴
１２    クイックレバー
１３    クイックレバー
１４    １２穴あき角度調節握り柄取り付け部
１４ａ  角度調節Ｌ型取り付けボルト穴
１４ｂ  １２穴あきプレート
１４ｃ  角度調節Ｌ型取り付けボルト穴
１５    １２個の突起部付き角度調節Ｌ型
１５ａ  １２個の突起部
１５ｂ  １２個の突起部
１５ｃ  角度調節Ｌ型取り付けボルト穴
１５ｄ  角度調節Ｌ型取り付けボルト穴
１６    １２穴あきプレート
１６ａ  角度調節Ｌ型取り付けボルト穴
１６ｂ  １２穴あきプレート取り付け穴
１６ｃ  １２穴あきプレート突起部受け穴
１７    角度調節Ｌ型取り付けボルト穴
１７ａ  １２穴あきプレート取り付け穴
１７ｂ  １２穴あき突起部受け穴
１８    １２穴あきプレート
１８ａ  角度調節Ｌ型取り付けボルト穴
１８ｂ  １２穴あきプレート取り付け穴
１８ｃ  １２穴あきプレート突起部受け穴
１９    １２穴あきプレート取り付けボルト
２０    クイックレバー固定ナット
２１    クイックレバー固定ナット
２２    刃
【図１】
2011078396.tif 000003
【図２】
2011078396.tif 000004
【図３】
2011078396.tif 000005
【図４】
2011078396.tif 000006
【図５】
2011078396.tif 000007
【図６】
2011078396.tif 000008
【図７】
2011078396.tif 000009
【図８】
2011078396.tif 000010
【図９】
2011078396.tif 000011
【図１０】
2011078396.tif 000012
【図１１】
2011078396.tif 000013